(57)【要約】【課題】楽曲を予約した予約者に対してその楽曲が演奏される旨を報知する情報報知装置を導入しなくても、予約者に対してその楽曲が演奏される旨を報知すること。【解決手段】演奏開始告知処理において、カラオケ装置１が、現在の演奏楽曲の第１コーラスが終了したら呼出信号を携帯電話機３に対して送信する（Ｓ５１５、Ｓ５２０）。そして、照会処理において、携帯電話機３が受信した呼出信号の送信元の電話番号が電話番号リストに登録されている電話番号の何れかと一致する場合においてその受信した呼出信号が１回のみであると判断した場合には（Ｓ４１２：はい、Ｓ４１３：はい）、携帯電話機３のＣＰＵ７２が、着信時画面Ａをメモリ９２から読み出して液晶ディスプレイ７４に表示させることにより呼出信号を受信した旨を利用者に報知する（Ｓ４１６）。【選択図】図１１
2006106085.tif 000002
【特許請求の範囲】
【請求項１】
利用者によって予約された演奏楽曲に対応する楽曲データに基づいてカラオケ演奏を予約順に行うカラオケ装置と、カラオケ演奏させるべき演奏楽曲を前記カラオケ装置に対して利用者によって予約可能な情報携帯端末と、を備え、前記カラオケ装置と前記情報携帯端末との間で無線通信によって各種データを送受信可能に構成されているカラオケシステムであって、
前記情報携帯端末は、
前記カラオケ演奏させるべき演奏楽曲を特定する演奏楽曲情報の入力を受付可能な演奏楽曲情報入力手段と、
前記演奏楽曲情報入力手段によって受け付けた前記演奏楽曲情報と当該情報携帯端末の電話番号を示す電話番号情報とを前記カラオケ装置の予約情報受付手段へ送信可能な予約情報送信手段と、を備えており、
一方、前記カラオケ装置は、
演奏楽曲に対応する前記楽曲データを記憶する楽曲データ記憶手段と、
前記情報携帯端末から送信された前記演奏楽曲情報と前記電話番号情報とを受け付け可能な予約情報受付手段と、
前記情報携帯端末から送信された演奏楽曲情報と前記電話番号情報とを対応付けて予約順に並べた予約リストを記憶可能な予約リスト記憶手段と、
前記予約情報受付手段によって前記演奏楽曲情報および前記電話番号情報を受け付けた際には、これら演奏楽曲情報および前記電話番号情報を対応付けて前記予約リストに追加するとともに、前記予約リスト記憶手段の記憶内容を更新させる予約リスト更新手段と、
前記予約リスト記憶手段が記憶した予約リストを参照して次にカラオケ演奏すべき演奏楽曲を特定し、その特定した演奏楽曲に対応する楽曲データを前記楽曲データ記憶手段から読み出してカラオケ演奏を行うカラオケ演奏手段と、
前記情報携帯端末に対して呼出信号を送信可能な装置側通信手段と、
前記カラオケ演奏手段による演奏楽曲のカラオケ演奏の終了想定時には、前記予約リスト記憶手段が記憶した予約リストを参照して次にカラオケ演奏すべき演奏楽曲を特定してその演奏楽曲に対応付けられた電話番号情報を読み出し、その読み出した電話番号情報が示す電話番号を用いて前記装置側通信手段に呼出信号を所定回数送信させる通信制御手段と、を備えており、
さらに、前記情報携帯端末は、
前記カラオケ装置の装置側通信手段からの呼出信号を受信可能な端末側通信手段と、
前記端末側通信手段によって呼出信号が受信された場合にその旨を利用者に対して報知可能な報知手段と、
前記端末側通信手段によって呼出信号が受信された場合には、その旨を利用者に対して前記報知手段によって報知させる報知制御手段と、を備えること
を特徴とするカラオケシステム。
【請求項２】
請求項１に記載のカラオケシステムにおいて、
前記情報携帯端末の報知手段は、利用者に提供される各種画像情報を表示するための表示手段を備えており、
前記情報携帯端末の報知制御手段は、前記カラオケ装置の装置側通信手段からの呼出信号を前記端末側通信手段によって受信した場合には、所定の画像を前記表示手段に表示させることにより、前記カラオケ装置の装置側通信手段からの呼出信号を受信した旨を利用者に対して報知させること
を特徴とするカラオケシステム。
【請求項３】
請求項２に記載のカラオケシステムにおいて、
前記情報携帯端末の報知手段は、音声を発声可能な音声発生手段を備えており、
前記情報携帯端末の報知制御手段は、前記受信手段によって前記カラオケ装置の装置側通信手段からの呼出信号を受信した場合において前記表示手段が各種画像を表示中であるときには、所定の音声を前記音声発生手段に発生させることにより、前記カラオケ装置の装置側通信手段からの呼出信号を受信した旨を利用者に対して報知させること
を特徴とするカラオケシステム。
【請求項４】
請求項１〜請求項３の何れかに記載のカラオケシステムにおいて、
前記情報携帯端末の報知制御手段は、前記カラオケ装置の装置側通信手段からの呼出信号を受信した旨を利用者に対して報知させる場合には、その呼出回数に応じて前記報知手段による報知方法を変化させること
を特徴とするカラオケシステム。
【請求項５】
請求項１〜請求項４の何れかに記載のカラオケシステムにおいて、
前記カラオケ装置は、
当該カラオケ装置を電話回線へ接続するための電話番号を示す電話番号情報、または前記情報携帯端末を演奏楽曲情報入力手段および予約情報送信手段として機能させるためのプログラムの少なくとも一方を前記情報携帯端末に対して送信可能な情報送信手段を備えており、
一方、前記情報携帯端末は、
前記カラオケ装置の情報送信手段から送信された前記カラオケ装置の電話番号情報またはプログラムを受信可能な情報受信手段と、
前記電話番号情報受信手段によって受信された前記カラオケ装置の電話番号情報またはプログラムを記憶可能な情報記憶手段と、
前記電話番号情報受信手段によって受信された前記電話番号情報またはプログラムを前記情報記憶手段に記憶させる情報登録手段と、を備えること
を特徴とするカラオケシステム。
【請求項６】
請求項１〜請求項４の何れかに記載のカラオケシステムにおいて、
前記情報携帯端末は、
複数のカラオケボックスの電話番号を含む電話番号リストを記憶する外部のサーバに対して前記電話番号リストを送信するよう要求する旨の要求信号を送信するとともに、前記外部のサーバから送信された前記電話番号リストを受信可能な電話番号リスト取得手段と、
前記電話番号リスト取得手段によって取得された前記電話番号リストを利用者に対して提示する電話番号リスト提示手段と、
前記電話番号リスト提示手段によって提示された電話番号リストから特定の電話番号が利用者によって選択されたことを受け付ける選択受付手段と、
前記選択受付手段によって受け付けた電話番号を記憶可能な特定電話番号記憶手段と、
前記選択受付手段によって受け付けた電話番号を前記特定電話番号記憶手段に記憶させる電話番号登録手段と、を備えること
を特徴とするカラオケシステム。
【請求項７】
請求項６に記載のカラオケシステムにおいて、
前記情報携帯端末は、現在位置を特定する現在位置特定手段を備えており、
前記情報携帯端末の電話番号リスト取得手段は、前記現在位置特定手段によって特定された現在位置を示す現在位置情報、および現在位置付近に存在するカラオケボックスの電話番号リストを送信するよう要求する旨の要求信号を前記外部のサーバへ送信するとともに、前記外部のサーバから送信された、現在位置付近に存在するカラオケボックスの電話番号リストを受信可能であること
を特徴とするカラオケシステム。
【請求項８】
請求項１〜請求項４の何れかに記載のカラオケシステムにおける予約リスト更新手段、通信制御手段および報知制御手段として、または請求項５に記載のカラオケシステムにおける情報登録手段として、または請求項６に記載のカラオケシステムにおける電話番号登録手段として、コンピュータを機能させるためのプログラム。
【発明の詳細な説明】
【技術分野】
【０００１】
本発明は、利用者によって予約された楽曲を予約順にカラオケ演奏するカラオケシステムにおいて、楽曲を予約した予約者に対してその楽曲が演奏される旨を報知する情報報知装置を導入しなくても、予約者に対してその楽曲が演奏される旨を報知することが可能な技術に関する。
【背景技術】
【０００２】
従来より、利用者によって予約された楽曲を予約順にカラオケ演奏するカラオケシステムが知られている。
このようなカラオケシステムの中には、カラオケ装置と通信可能な情報報知装置を楽曲の予約者に携帯してもらい、楽曲のカラオケ演奏が終了した場合には、次にカラオケ演奏される楽曲の予約者に対して、その予約者が予約した楽曲が演奏される旨を情報報知装置によって音声などで報知するよう構成されたカラオケシステムがある（例えば、特許文献１参照。）。
【特許文献１】特開平１１−６５５７６号公報（第１０頁、図１２）
【発明の開示】
【発明が解決しようとする課題】
【０００３】
しかし、上述のようなカラオケシステムにおいては、カラオケ装置に対して、複数の利用者が楽曲を予約することを想定して上述のような情報報知装置を相当数用意する必要があり、情報報知装置の導入のために当該カラオケシステムの運用者に負担が生じるという問題があった。また、導入した情報報知装置の維持管理にも手間がかかるという問題があった。
【０００４】
本発明は、このような不具合に鑑みなされたものであり、その目的とするところは、利用者によって予約された楽曲を予約順にカラオケ演奏するカラオケシステムにおいて、楽曲を予約した予約者に対してその楽曲が演奏される旨を報知する情報報知装置を導入しなくても、予約者に対してその楽曲が演奏される旨を報知することが可能な技術を提供することにある。
【課題を解決するための手段】
【０００５】
上記課題を解決するためになされた請求項１に係るカラオケシステムは、カラオケシステムを利用する利用者の多くが携帯電話やＰＤＡなどの情報携帯端末を携帯していることに着目してなされたものであり、利用者が楽曲を予約する際に携帯電話の電話番号を合わせて登録してもらい、楽曲のカラオケ演奏が終了した場合には、次にカラオケ演奏される楽曲の予約者に対して、その予約者が予約した楽曲が演奏される旨をその予約者の携帯電話に送信することを特徴とする。
【０００６】
具体的には、上述のカラオケシステムは、利用者によって予約された演奏楽曲に対応する楽曲データに基づいてカラオケ演奏を予約順に行う「カラオケ装置」と、カラオケ演奏させるべき演奏楽曲をカラオケ装置に対して利用者によって予約可能な「情報携帯端末」と、を備え、カラオケ装置と情報携帯端末との間で無線通信によって各種データを送受信可能に構成されている。
【０００７】
このうち情報携帯端末は、演奏楽曲情報入力手段と、予約情報送信手段と、を備えている。演奏楽曲情報入力手段は、上述のカラオケ演奏させるべき演奏楽曲を特定する「演奏楽曲情報」の入力を受付可能であり、予約情報送信手段は、演奏楽曲情報入力手段によって受け付けた演奏楽曲情報と当該情報携帯端末の電話番号を示す「電話番号情報」とを前記カラオケ装置の予約情報受付手段へ送信可能である。
【０００８】
一方、カラオケ装置は、楽曲データ記憶手段と、予約リスト記憶手段と、予約情報受付手段と、予約リスト更新手段と、カラオケ演奏手段と、装置側通信手段と、通信制御手段と、を備えている。楽曲データ記憶手段は、演奏楽曲に対応する楽曲データを記憶しており、予約情報受付手段は、情報携帯端末から送信された演奏楽曲情報と電話番号情報とを受け付け可能であり、予約リスト記憶手段は、情報携帯端末から送信された演奏楽曲情報と電話番号情報とを対応付けて予約順に並べた予約リストを記憶可能である。そして、予約情報受付手段によって演奏楽曲情報および電話番号情報を受け付けた際には、予約リスト更新手段が、これら演奏楽曲情報および電話番号情報を対応付けて予約リストに追加するとともに、予約リスト記憶手段の記憶内容を更新させる。カラオケ演奏手段は、予約リスト記憶手段が記憶した予約リストを参照して次にカラオケ演奏すべき演奏楽曲を特定し、その特定した演奏楽曲に対応する楽曲データを楽曲データ記憶手段から読み出してカラオケ演奏を行う。また、カラオケ演奏手段による演奏楽曲のカラオケ演奏の終了想定時には、通信制御手段が、予約リスト記憶手段が記憶した予約リストを参照して次にカラオケ演奏すべき演奏楽曲を特定してその演奏楽曲に対応付けられた電話番号情報を読み出し、その読み出した電話番号情報が示す電話番号を用いて装置側通信手段に呼出信号を所定回数送信させる。なお、上述のカラオケ演奏の終了想定時としては、例えば最終コーラスの終了時や、第一コーラスの終了時、第二コーラスの終了時などが挙げられる。
【０００９】
さらに、情報携帯端末は、端末側通信手段と、報知手段と、報知制御手段と、を備えている。端末側通信手段は、カラオケ装置の装置側通信手段からの呼出信号を受信可能である。そして、端末側通信手段によってカラオケ装置の装置側通信手段からの呼出信号を受信した場合には、報知制御手段が、その旨を利用者に対して報知手段によって報知させる。
【００１０】
従来のカラオケシステムにおいては、カラオケ装置に対して、複数の利用者が楽曲を予約することを想定して上述のような情報報知装置を相当数用意する必要があり、情報報知装置の導入のために当該カラオケシステムの運用者に負担が生じるという問題があった。また、導入した情報報知装置の維持管理にも手間がかかるという問題があった。
【００１１】
これに対して本発明によれば、利用者が楽曲を予約する際に例えば携帯電話など情報携帯端末の電話番号を合わせて登録してもらい、楽曲のカラオケ演奏の終了想定時には、次にカラオケ演奏される楽曲の予約者に対して、その予約者が予約した楽曲が演奏される旨をその予約者の携帯電話に送信するので、利用者によって予約された楽曲を予約順にカラオケ演奏するカラオケシステムにおいて、楽曲を予約した予約者に対してその楽曲が演奏される旨を報知する情報報知装置を導入しなくても、利用者が所有する携帯電話などの情報携帯端末を利用することにより、予約者に対してその楽曲が演奏される旨を報知することができる。
【００１２】
また、本発明によれば、カラオケ装置の通信制御手段が情報携帯端末へ所定回数呼出信号を送信し、情報携帯端末では、カラオケ装置の装置側通信手段からの呼出信号を端末側通信手段によって受信した場合には情報携帯端末の報知制御手段がその旨を利用者に対して報知手段によって報知させるので、カラオケ装置と情報携帯端末との間で電話回線が接続状態とはならず、通話料金が課金されることがない。
【００１３】
この場合、情報携帯端末における報知方法の具体例としては、画像による報知が考えられる。具体的には、請求項２のように、情報携帯端末の報知手段が、利用者に提供される各種画像情報を表示するための表示手段を備えており、受信手段によってカラオケ装置の装置側通信手段からの呼出信号を受信した場合には、情報携帯端末の報知制御手段が、所定の画像を表示手段に表示させることによってカラオケ装置の装置側通信手段からの呼出信号を受信した旨を利用者に対して報知させることが考えられる。このようにすれば、携帯電話をマナーモードにすることが推奨される場所において、周りに迷惑にならずに、予約した演奏楽曲がカラオケ演奏される順番が近づいていることを利用者に知らせることができる。
【００１４】
一方、利用者が携帯電話で各種画像を楽しんでいる場合には、予約した演奏楽曲がカラオケ演奏される順番が近づいていることを利用者に知らせることを着メロなどの音声で知らせた方が望ましい。具体的には、請求項３のように、情報携帯端末の報知手段が、音声を発声可能な音声発生手段を備えており、受信手段によって前記カラオケ装置の装置側通信手段からの呼出信号を受信した場合において表示手段が各種画像を表示中であるときには、情報携帯端末の報知制御手段が、所定の音声を音声発生手段に発生させることにより、カラオケ装置の装置側通信手段からの呼出信号を受信した旨を利用者に対して報知させることが考えられる。このようにすれば、利用者が携帯電話で各種画像を楽しんでいる場合でも、予約した演奏楽曲がカラオケ演奏される順番が近づいていることを利用者に知らせることを着メロなどの音声で知らせることができる。
【００１５】
上述の予約した演奏楽曲がカラオケ演奏される順番が近づいている旨を知らせるための呼出については、その回数は１回であってもよいし、複数回であってもよい。また、上述の呼出を行う回数については、例えば最終コーラスが終了した際にのみ呼出するといった具合に１回のみでもよいし、例えば各コーラスが終了するごとに呼出するといった具合に複数回であってもよい。
【００１６】
ところで、上述のように、予約した演奏楽曲がカラオケ演奏される順番が近づいていることを利用者に知らせた際に、その利用者が例えばカラオケボックスの外などカラオケルームから離れた場所にて飲食などを楽しんでいる場合がある。このような場合、利用者がカラオケルームに戻ったが予約した演奏楽曲がカラオケ演奏されるまでにはまだ時間を要する場合がある。そこで、カラオケ装置からの呼出回数によって利用者への報知形態を変化させて緊急度合を知らせることが考えられる。具体的には、請求項４のように、カラオケ装置の装置側通信手段からの呼出信号を受信した旨を利用者に対して報知させる場合には、情報携帯端末の報知制御手段が、その呼出回数に応じて報知手段による報知方法を変化させることが考えられる。一例を挙げると、カラオケ装置側では、カラオケ演奏中の演奏楽曲における１コーラスが終了した際の呼出回数を１回とし、２コーラスが終了した際の呼出回数を２回とし、最終コーラスが終了した際の呼出回数を３回とし、一方、情報携帯端末側では、受信した呼出回数が１回である場合には次の演奏楽曲が始まるまでには時間的に余裕がある旨を示す情報を報知し、受信した呼出回数が２回である場合には次の演奏楽曲が始まるまでには時間的に余裕があまりない旨を示す情報を報知し、受信した呼出回数が３回である場合には次の演奏楽曲がまもなく始まる旨を示す情報を報知する、といった具合である。このようにすれば、予約した演奏楽曲がカラオケ演奏される順番が近づいている緊急度合を利用者に知らせることができる。
【００１７】
ところで、演奏楽曲を予約する際に必要なカラオケ装置の電話番号やプログラムを、電話回線を介して外部のサーバなどから取得する場合には、通話料金が発生する。そこで、上述のような演奏楽曲を予約する際に必要なカラオケ装置の電話番号やプログラムを、カラオケ装置から直接取得することが考えられる。具体的には、請求項５のように、カラオケ装置が、電話番号情報またはプログラムの少なくともいずれか一方を情報携帯端末に対して送信可能な情報送信手段を備えている。なお、電話番号情報とは、当該カラオケ装置を電話回線へ接続するための電話番号を示す情報を云い、プログラムとは、情報携帯端末を演奏楽曲情報入力手段および予約情報送信手段として機能させるためのプログラムを云う。一方、情報携帯端末は、情報受信手段と、情報記憶手段と、情報登録手段と、を備えている。情報受信手段は、カラオケ装置の情報送信手段から送信されたカラオケ装置の電話番号情報またはプログラムを受信可能であり、情報登録手段が、電話番号情報受信手段によって受信された電話番号情報またはプログラムを情報記憶手段に記憶させる。
【００１８】
なお、上述の情報送信手段および情報受信手段としては、赤外線通信、Ｂｌｕｅｔｏｏｔｈ（登録商標）、または無線ＬＡＮなどの公知技術を利用する。
このようにすれば、演奏楽曲を予約する際に必要なカラオケ装置の電話番号やプログラムを、カラオケ装置から直接取得することができるので、電話回線を利用した場合に発生する通話料金がこの場合には発生しない。
【００１９】
ただし、上述のような場合には、カラオケ装置が、演奏楽曲を予約する際に必要なカラオケ装置の電話番号やプログラムを情報携帯端末に送信する手段（情報送信手段）を備える必要がある。そこで、通話料金がかかっても、演奏楽曲を予約する際に必要なカラオケ装置の電話番号やプログラムを、電話回線を介して外部のサーバなどから取得することも考えられる。具体的には、請求項６のように、情報携帯端末が、当該カラオケ装置を電話回線へ接続するための電話番号を含む電話番号リストを記憶する外部のサーバに対して電話番号リストを送信するよう要求する旨の要求信号を送信するとともに、外部のサーバから送信された電話番号リストを受信可能な電話番号リスト取得手段と、電話番号リスト取得手段によって取得された電話番号リストを利用者に対して提示する電話番号リスト提示手段と、電話番号リスト提示手段によって提示された電話番号リストから特定の電話番号が利用者によって選択されたことを受け付ける選択受付手段と、選択受付手段によって受け付けた電話番号を記憶可能な特定電話番号記憶手段と、選択受付手段によって受け付けた電話番号を特定電話番号記憶手段に記憶させる電話番登録手段と、を備えることが考えられる。
【００２０】
このようにすれば、演奏楽曲を予約する際に必要なカラオケ装置の電話番号やプログラムを情報携帯端末に送信する手段をカラオケ装置が備えなくてもよい。また、このように利用者に電話番号リストを提示すれば、提示された電話番号リストから特定のカラオケボックスを利用者が選択することができ、利用者の利便性を向上させることができる。
【００２１】
この場合、利用者が存在する地域に限定した電話番号リストを外部のサーバから取得して利用者に提示することが考えられる。具体的には、請求項７のように、情報携帯端末が、現在位置を特定する現在位置特定手段を備えており、上述の電話番号リスト取得手段については、現在位置特定手段によって特定された現在位置を示す現在位置情報、および現在位置付近に存在するカラオケボックスの電話番号リストを送信するよう要求する旨の要求信号を外部のサーバへ送信するとともに、外部のサーバから送信された、現在位置付近に存在するカラオケボックスの電話番号リストを受信可能であることが考えられる。このようにすれば、これから利用するカラオケボックスを現在位置からの移動時間が短いカラオケボックスから選択でき、利用者の利便性を向上させることができる。また、このように利用者が存在する地域に限定した電話番号リストを情報携帯端末に送信すれば、電話番号リストに含まれる電話番号の件数を少なくでき、電話番号リストを送受信する際に要する通話料金を、外部のサーバに登録されているカラオケボックスの電話番号すべてを情報携帯端末に対して送信する場合に比べて低額にすることができる。
【００２２】
なお、請求項８に示すように、請求項１〜請求項４の何れかに記載のカラオケシステムにおける予約リスト更新手段、通信制御手段および報知制御手段は、コンピュータを機能させるプログラムとして実現できる。また、請求項５に記載のカラオケシステムにおける情報登録手段は、コンピュータを機能させるプログラムとして実現できる。また、請求項６に記載のカラオケシステムにおける電話番号登録手段は、コンピュータを機能させるプログラムとして実現できる。したがって、本発明は、プログラムの発明として実現できる。また、このようなプログラムの場合、例えば、ＦＤ、ＭＯ、ＤＶＤ−ＲＯＭ、ＣＤ−ＲＯＭ、ハードディスク等のコンピュータ読み取り可能な記録媒体に記録し、必要に応じてコンピュータにロードして起動することにより用いることができる。この他、ＲＯＭやバックアップＲＡＭをコンピュータ読み取り可能な記録媒体として本プログラムを記録しておき、ＲＯＭあるいはバックアップＲＡＭをコンピュータに組み込んで用いても良い。
【発明を実施するための最良の形態】
【００２３】
以下に本発明の実施形態を図面とともに説明する。
図１は、カラオケシステムの全体構成を示すブロック図である。また、図２は携帯電話機３の内部構成を示すブロック図である。
［第一実施形態］
カラオケシステムは、図１に示すように、カラオケ装置１とリモコン端末２とがデータ通信可能に構成されたものである。また、本実施形態においては、ブルートゥース（登録商標、以下同様）・インタフェース搭載型の携帯電話機３やＰＤＡなどの情報携帯端末を楽曲予約などに利用する際には、この情報携帯端末が上述のカラオケシステムの一部として機能する（図２および図１３参照）。
【００２４】
［カラオケ装置１の構成の説明］
カラオケ装置１は、図１に示すように、カラオケ装置１全体の動作を制御する制御部１２、カラオケ装置１をネットワーク１００や電話回線に接続するためのインタフェース部１４、演奏楽曲の伴奏内容および歌詞を示す楽曲データや映像データなどを記憶するハードディスク（ＨＤＤ）１６、複数のキー・スイッチからなる操作部１８、リモコン端末２や携帯電話からの赤外線信号を赤外線通信規格（ＩｒＤＡ（登録商標、以下同様））に従って受信するための赤外線通信部２０、操作部１８からの信号を処理する操作処理部２２、ハードディスク１６に記憶された楽曲データから演奏楽曲のオーディオ信号（音響，音声に関する信号）を生成し、生成されたオーディオ信号およびマイクロフォン２６から入力されたオーディオ信号を増幅してスピーカ２８へ出力する音声制御部２４、ＭＩＤＩ音源３０、映像情報を一時的に記憶するビデオＲＡＭ３２、映像データに基づく映像の再生を制御する映像再生部３４、ビデオＲＡＭ３２に記憶された映像情報および映像再生部３４により再生される映像の表示部３６での表示を制御する映像制御部３８、公衆回線やインターネット、携帯キャリア通信網、接続事業者などを介して携帯電話機３やデータサーバ４と接続するためのモデム６００、などを備えている。また、制御部１２と音声制御部とはＵＳＢ４０によって接続されている。また、制御部１２は、後述する各種処理を実行する。なお、上述の接続事業者の具体例としては、図１に例示するように、携帯キャリア通信網とインターネットとを接続する接続事業者Ａ（５００）、公衆回線とインターネットとを接続するダイヤルアップ・インターネット接続事業者Ｂ（５０１）、公衆回線と携帯キャリア通信網とを接続する携帯キャリア接続事業者Ｃ（５０２）、ＡＤＳＬ回線とインターネットとを接続する接続事業者Ｄ（５０３）、等が挙げられる。
【００２５】
インタフェース部１４は、ネットワーク１００を介して無線アクセスポイント１１０に接続することができる。また、インタフェース部１４は、ネットワーク１００、ＡＤＳＬモデム６０１および接続事業者Ｄ（５０３）を介してインターネット網に接続することができる。
【００２６】
なお、制御部１２は、予約リスト更新手段および通信制御手段に該当する。また、インタフェース部１４は装置側通信手段に該当する。また、ＨＤＤ１６は楽曲データ記憶手段および予約リスト記憶手段に該当する。また、赤外線通信部２０は、予約情報受付手段および情報送信手段に該当する。また、音声制御部２４およびＭＩＤＩ音源３０はカラオケ演奏手段に該当する。
【００２７】
［リモコン端末２の構成の説明］
リモコン端末２は、図１に示すように、リモコン端末２全体の動作を制御する制御部５２、カラオケ装置１に赤外線信号を赤外線通信規格（ＩｒＤＡ）に従って送信する赤外線通信部５４、各種情報を記憶するメモリ５６、表示部５８の表示領域に沿って設置されるタッチパネルおよび複数のキー・スイッチからなる操作部６０、操作部６０からの信号を処理する操作処理部６２、映像情報を一時的に記憶するビデオＲＡＭ６４、ビデオＲＡＭ６４に記憶された映像情報の表示部５８での表示を制御する映像制御部６６、ネットワーク１００に接続された無線アクセスポイント１１０との間で無線ＬＡＮ規格（例えば、ＩＥＥＥ８０２．１１ａ／ｂ／ｇ規格，ＨｏｍｅＲＦ（登録商標、以下同様）規格，Ｂｌｕｅｔｏｏｔｈ（登録商標、以下同様）規格など）に従った無線通信を行うための無線ＬＡＮ通信部６８、などを備えている。
【００２８】
［携帯電話機３の構成の説明］
情報携帯端末としての携帯電話機３は、図２に示すように、携帯電話機３全体の動作を制御するとともに後述の各種処理を実行するＣＰＵ７２、液晶ディスプレイ７４、ネットワーク１００に接続された無線アクセスポイント１１０との間で無線ＬＡＮ規格としてのＢｌｕｅｔｏｏｔｈ規格に従った無線通信を行うためのＢｌｕｅｔｏｏｔｈ通信部７６、カメラ７８、カラオケ装置１などに赤外線信号を赤外線通信規格（ＩｒＤＡ）に従って送信するＩｒＤＡ通信部８０、衛星からの電波に基づいて車両の位置や方位（車両の走行方向）を検出するＧＰＳのためのＧＰＳ受信機８２、スピーカ８４、マイク８６、液晶ディスプレイ７４の表示領域に沿って設置されるタッチパネルおよび複数のキー・スイッチからなるキーパット８８、アンテナ９０、各種情報を記憶するメモリ９２、などを備えている。
【００２９】
上述のＧＰＳ受信機８２を利用した携帯電話機３のＧＰＳ機能とは、内蔵するＧＰＳ受信機８２を用いての位置情報の収集（例えばＮＴＴドコモ（登録商標）のＦ６６１ｉ（登録商標））、又は携帯キャリア通信網からの位置情報の収集（例えば、ＮＴＴドコモ（登録商標）のいまどこサービス（登録商標））などの公知技術を利用する機能である。
【００３０】
また、メモリ９２にはプログラムやデータなどが登録されている。具体的には、携帯電話機３ごとに固有に割り当てられた端末製造番号などの端末ＩＤ、電話番号（図２（ｃ）参照）、利用者の個人情報、着信メロディ（図２（ｂ）参照）、イメージデータ（図２（ｄ）参照）などが記録されている。
【００３１】
なお、ＣＰＵ７２は、報知制御手段、情報登録手段および電話番号登録手段に該当する。また、液晶ディスプレイ７４は電話番号リスト提示手段に該当する。また、液晶ディスプレイ７４はスピーカ８４とともに報知手段に該当する。また、Ｂｌｕｅｔｏｏｔｈ通信部７６またはＩｒＤＡ通信部８０は、予約情報送信手段、端末側通信手段、情報受信手段、または電話番号リスト取得手段に該当する。また、ＧＰＳ受信機８２は現在位置特定手段に該当する。また、キーパット８８は演奏楽曲情報入力手段および選択受付手段に該当する。また、メモリ９２は情報記憶手段および特定電話番号記憶手段に該当する。
【００３２】
［データサーバ４の構成の説明］
本実施形態においては、利用者は、外部に設置されたデータサーバ４に携帯電話機３からアクセスしてプログラムや電話番号リスト等を取得することができる。
【００３３】
図３はデータサーバ４の内部構成を示すブロック図である。
データサーバ４は、図３に示すように、データサーバ４全体の動作を制御するとともに各種処理を実行するＣＰＵ１０２、ディスプレイ１０４、公衆通信網に接続するためのモデム１０６、赤外線信号を赤外線通信規格（ＩｒＤＡ）に従って送信するＩｒＤＡ通信部１０８、複数のキー・スイッチからなるキーボード１１０、マウス１１２、スピーカ１１４、各種情報を記憶するメモリ１１６、カラオケ装置１をネットワークに接続するためのＬＡＮインタフェース部１１８、各種情報を記憶する大容量記憶装置１２０、などを備えている。
【００３４】
このうち大容量記憶装置１２０には、プログラムやデータなどが登録されている。具体的には、図３（ｂ）に例示するように、リモコンプログラム、位置特定プログラム、特定した地域から店舗データを抽出する店舗データ抽出プログラム、着信用画像データ、着信用着メロデータ、全国カラオケ店舗電話番号データ（図７（ｃ）参照）などが記録されている。
【００３５】
［プログラム・電話番号のダウンロード処理の説明］
以下に、携帯電話機３のＣＰＵ７２および外部のデータサーバ４のＣＰＵ１０２が実行するブログラムおよび電話番号リストのダウンロード処理の処理手順を図９（ａ）のフローチャートに基づいて説明する。この処理は、携帯電話機３およびデータサーバ４が起動している間に実行される。
【００３６】
まず、携帯電話機３側では、携帯電話機３のＣＰＵ７２が、各種データを送受信するためにデータサーバ４への接続を試みる（ステップＳ１１０）。次に、データサーバ４への接続が成功したら、携帯電話機３のＣＰＵ７２が、ＧＰＳ受信機８２からの検出信号に基づき、座標及び走行方向の組として現在位置を算出し、その算出した現在位置を示す情報をデータサーバ４へ送信する（Ｓ１２０）。
【００３７】
これに対してデータサーバ４側では、データサーバ４のＣＰＵ１０２が、携帯電話機３から送信された現在位置を示す情報をＬＡＮ１１８経由で受け取り、その現在位置情報に基づき、携帯電話機３が位置する場所周辺のカラオケ店舗リストを、大容量記憶装置１２０が記憶する全国カラオケ店舗電話番号データを参照して作成する（Ｓ２１０）。
【００３８】
また、携帯電話機３側では、携帯電話機３のＣＰＵ７２が、カラオケ店舗内で演奏楽曲を予約するリモコン端末として携帯電話機３を機能させるためのリモコンプログラムを送信するよう要求する（Ｓ１３０）。
【００３９】
これに対してデータサーバ４側では、データサーバ４のＣＰＵ１０２が、携帯電話機３から要求されたリモコンプログラムを携帯電話機３に対して送信するとともに（Ｓ２２０）、先のＳ２１０で作成した携帯電話機３周辺のカラオケ店舗リストを携帯電話機３に対して送信する（Ｓ２３０）。
【００４０】
一方、携帯電話機３側では、携帯電話機３のＣＰＵ７２が、データサーバ４から送信された携帯電話機３周辺のカラオケ店舗リストを受信し、その受信したカラオケ店舗リストをメモリ９２に記憶させる（Ｓ１４０）。
【００４１】
また、データサーバ４側では、データサーバ４のＣＰＵ１０２が、着信時画面を携帯電話機３に対して送信し（Ｓ２４０）、データサーバ４側の処理を終了する。
これに対して携帯電話機３側では、携帯電話機３のＣＰＵ７２が、データサーバ４から送信された着信時画面を受信し、その受信した着信時画面をメモリ９２に記憶させ（Ｓ１４０）、携帯電話機３側の処理を終了する。
【００４２】
［演奏予約処理の説明］
以下に、カラオケ装置１の制御部１２および携帯電話機３のＣＰＵ７２が実行する演奏予約処理の処理手順を図９（ｂ）のフローチャートに基づいて説明する。この処理は、携帯電話機３が先のプログラム・電話番号のダウンロード処理によってリモコンプログラムを取得した後においてカラオケ装置１および携帯電話機３が起動している間に、実行される。なお、本処理の実行については、携帯電話機３の代わりにリモコン端末２の操作部６０（図４（ａ）参照）を利用して実行してもよいが、本実施形態では携帯電話機３を利用した場合を例に挙げて説明する。
【００４３】
まず、携帯電話機３側では、キーパット８８に利用者によって選曲番号が入力された場合には、携帯電話機３のＣＰＵ７２が、その入力された選曲番号を当該携帯電話機３の電話番号とともにカラオケ装置１に対して送信し（Ｓ３１０、図４（ｂ）参照）、携帯電話機３側の処理を終了する。
【００４４】
一方、データサーバ４側では、データサーバ４のＣＰＵ１０２が、携帯電話機３から送信された選曲番号および携帯電話機３の電話番号を受信し、その受信した選曲番号および携帯電話機３の電話番号を互いに対応付け、ＨＤＤ１６が記憶する予約テーブルの最後尾に追加し（Ｓ３２０、図５（ａ）・図５（ｂ）・図６参照）、カラオケ装置１側の処理を終了する。
【００４５】
［演奏開始告知処理の説明］
以下に、カラオケ装置１の制御部１２および携帯電話機３のＣＰＵ７２が実行する演奏開始告知処理の処理手順を図１０のフローチャートに基づいて説明する。この処理は、携帯電話機３が先の演奏予約処理によって利用者の演奏楽曲を予約した後においてカラオケ装置１および携帯電話機３が起動している間に実行される。
【００４６】
まず、カラオケ装置１側では、カラオケ装置１の制御部１２が、現在の演奏楽曲の第１コーラスが終了するまで、すなわち演奏楽曲に含まれる第１コーラス終了フラグを確認するまで待機し（Ｓ５０５、図５（ｃ）参照）、現在の演奏楽曲の第１コーラスが終了したらＳ５１０に移行する。
【００４７】
Ｓ５１０では、ＨＤＤ１６が記憶する予約テーブルを参照して次に演奏する予定の演奏楽曲を特定し、その特定した演奏楽曲に対応する楽曲データをＨＤＤ１６から読み出すなどその演奏楽曲の演奏準備を行う。そして、予約テーブルを参照して次に演奏する予定の演奏楽曲を予約した携帯電話機３の電話番号を読み出し、その読み出した電話番号を用いて呼出信号を送信させる（Ｓ５１５）。なおこの場合、呼出信号を１回送信した後に呼出信号の送信を終了する（Ｓ５２０）。
【００４８】
一方、携帯電話機３側では、携帯電話機３のＣＰＵ７２が、呼出信号を受信した場合に照会処理を実行する（Ｓ４１０）。なお、照会処理については後述する。
さて、カラオケ装置１側では、カラオケ装置１の制御部１２が、先のＳ５２０を実行した後に、現在の演奏楽曲の第２コーラスが終了するまで、すなわち演奏楽曲に含まれる第２コーラス終了フラグを確認するまで待機し（Ｓ５２５、図５（ｃ）参照）、現在の演奏楽曲の第２コーラスが終了したらＳ５３０に移行する。
【００４９】
Ｓ５３０では、予約テーブルを参照して次に演奏する予定の演奏楽曲を予約した携帯電話機３の電話番号を読み出し、その読み出した電話番号を用いて呼出信号を送信させる。なおこの場合、呼出信号を２回送信した後に呼出信号の送信を終了する（Ｓ５３５）。
【００５０】
一方、携帯電話機３側では、携帯電話機３のＣＰＵ７２が、呼出信号を受信した場合に照会処理（後述）を再度実行する（Ｓ４２０）。
さて、カラオケ装置１側では、カラオケ装置１の制御部１２が、先のＳ５３５を実行した後に、現在の演奏楽曲の後奏が開始するまで、すなわち演奏楽曲に含まれる後奏開始フラグを確認するまで待機し（Ｓ５４０、図５（ｃ）参照）、現在の演奏楽曲の後奏が開始したらＳ５４５に移行する。
【００５１】
Ｓ５４５では、予約テーブルを参照して次に演奏する予定の演奏楽曲を予約した携帯電話機３の電話番号を読み出し、その読み出した電話番号を用いて呼出信号を送信させる。なおこの場合、呼出信号を３回送信した後に呼出信号の送信を終了し（Ｓ５５０）、カラオケ装置１側の処理を終了する。
【００５２】
一方、携帯電話機３側では、携帯電話機３のＣＰＵ７２が、呼出信号を受信した場合に照会処理（後述）を再度実行し（Ｓ４３０）、携帯電話機３側の処理を終了する。
ここで、上述の照会処理を図１１のフローチャートを参照しながら以下に説明する。
【００５３】
まず、携帯電話機３のＣＰＵ７２が、受信した呼出信号の送信元の電話番号が、メモリ９２が記憶する電話番号リスト（図７（ｂ）参照）に登録されている電話番号の何れかと一致するか否かを判断する（Ｓ４１１）。受信した呼出信号の送信元の電話番号が電話番号リストに登録されている電話番号の何れかと一致しない場合には（Ｓ４１２：いいえ）、本照会処理を終了する。一方、受信した呼出信号の送信元の電話番号が電話番号リストに登録されている電話番号の何れかと一致する場合には（Ｓ４１２：はい）、Ｓ４１３に移行する。
【００５４】
Ｓ４１３では、携帯電話機３のＣＰＵ７２が、その受信した呼出信号が１回のみであるか否かを判断する。その受信した呼出信号が１回のみであると判断した場合には（Ｓ４１３：はい）、着信時画面Ａ（図７（ａ）参照）をメモリ９２から読み出して液晶ディスプレイ７４に表示させることにより呼出信号を受信した旨を利用者に報知し（Ｓ４１６）、本照会処理を終了する。なお、設定内容により上述の着信時画面Ａの代わりに着メロ等の音声によって呼出信号を受信した旨を利用者に報知してもよい。また、設定内容により上述の着信時画面Ａおよび着メロ等の音声によって呼出信号を受信した旨を利用者に報知してもよい。一方、その受信した呼出信号が１回のみではないと判断した場合には（Ｓ４１３：いいえ）、Ｓ４１４に移行する。
【００５５】
Ｓ４１４では、携帯電話機３のＣＰＵ７２が、その受信した呼出信号が２回であるか否かを判断する。その受信した呼出信号が２回であると判断した場合には（Ｓ４１４：はい）、着信時画面Ｂ（図７（ａ）参照）をメモリ９２から読み出して液晶ディスプレイ７４に表示させることにより呼出信号を受信した旨を利用者に報知し（Ｓ４１７）、本照会処理を終了する。なお、設定内容により上述の着信時画面Ｂの代わりに着メロ等の音声によって呼出信号を受信した旨を利用者に報知してもよい。また、設定内容により上述の着信時画面Ｃおよび着メロ等の音声によって呼出信号を受信した旨を利用者に報知してもよい。一方、その受信した呼出信号が２回ではないと判断した場合には（Ｓ４１４：いいえ）、Ｓ４１５に移行する。
【００５６】
Ｓ４１５では、携帯電話機３のＣＰＵ７２が、その受信した呼出信号が３回であるか否かを判断する。その受信した呼出信号が３回であると判断した場合には（Ｓ４１５：はい）、着信時画面Ｃ（図７（ａ）参照）をメモリ９２から読み出して液晶ディスプレイ７４に表示させることにより呼出信号を受信した旨を利用者に報知し（Ｓ４１８）、本照会処理を終了する。なお、設定内容により上述の着信時画面Ｃの代わりに着メロ等の音声によって呼出信号を受信した旨を利用者に報知してもよい。また、設定内容により上述の着信時画面Ｃおよび着メロ等の音声によって呼出信号を受信した旨を利用者に報知してもよい。一方、その受信した呼出信号が３回ではないと判断した場合には（Ｓ４１５：いいえ））、その受信した呼出信号がカラオケ装置１以外からの呼出信号と判断して本照会処理を終了する。
【００５７】
［プログラム設定処理の説明］
以下に、携帯電話機３のＣＰＵ７２が実行するプログラム設定処理の処理手順を図１４のフローチャートおよび図８に基づいて説明する。この処理は、携帯電話機３およびデータサーバ４が起動している間に実行される。
【００５８】
まず、Ｓ６０５では、データサーバ４からの待ち受けプログラムのダウンロードを開始する。具体的には、データサーバ４に接続した後にデータサーバ４に対して待ち受けプログラムの送信を要求し、データサーバ４から送信された待ち受けプログラムを受信する。
【００５９】
続くＳ６１０では、データサーバ４からの待ち受けプログラムのダウンロードが終了したか否かを判断する。データサーバ４からの待ち受けプログラムのダウンロードが終了していないと判断された場合には（Ｓ６１０：いいえ）、本Ｓ６１０を繰り返し実行することによりデータサーバ４からの待ち受けプログラムのダウンロードが終了まで待機する。一方、データサーバ４からの待ち受けプログラムのダウンロードが終了したと判断された場合には（Ｓ６１０：はい）、Ｓ６１５に移行する。
【００６０】
Ｓ６１５では、データサーバ４からの周辺店舗リストのダウンロードを開始する。具体的には、データサーバ４に対して周辺店舗リストの送信を要求し、データサーバ４から送信された周辺店舗リストを受信する。
【００６１】
続くＳ６２０では、データサーバ４からの周辺店舗リストのダウンロードが終了したか否かを判断する。データサーバ４からの周辺店舗リストのダウンロードが終了していないと判断された場合には（Ｓ６２０：いいえ）、本Ｓ６１０を繰り返し実行することによりデータサーバ４からの周辺店舗リストのダウンロードが終了まで待機する。一方、データサーバ４からの周辺店舗リストのダウンロードが終了したと判断された場合には（Ｓ６２０：はい）、Ｓ６２５に移行する。
【００６２】
Ｓ６２５では、受信した周辺店舗リストの電話番号および店舗名をメモリ９２に記憶させる。
続くＳ６３０では、データサーバ４からの着信時画面のダウンロードを開始する。具体的には、データサーバ４に対して着信時画面の送信を要求し、データサーバ４から送信された着信時画面を受信する。
【００６３】
続くＳ６３５では、データサーバ４からの着信時画面のダウンロードが終了したか否かを判断する。データサーバ４からの着信時画面のダウンロードが終了していないと判断された場合には（Ｓ６３５：いいえ）、本Ｓ６３５を繰り返し実行することによりデータサーバ４からの着信時画面のダウンロードが終了まで待機する。一方、データサーバ４からの着信時画面のダウンロードが終了したと判断された場合には（Ｓ６３５：はい）、Ｓ６４０に移行する。
【００６４】
Ｓ６４０では、受信した着信時画面をメモリ９２に記憶させる。
続くＳ６４５では、データサーバ４からの着メロのダウンロードを開始する。具体的には、データサーバ４に対して着メロの送信を要求し、データサーバ４から送信された着メロを受信する。
【００６５】
続くＳ６５０では、データサーバ４からの着メロのダウンロードが終了したか否かを判断する。データサーバ４からの着メロのダウンロードが終了していないと判断された場合には（Ｓ６５０：いいえ）、本Ｓ６５０を繰り返し実行することによりデータサーバ４からの着メロのダウンロードが終了まで待機する。一方、データサーバ４からの着メロのダウンロードが終了したと判断された場合には（Ｓ６５０：はい）、Ｓ６５５に移行する。
【００６６】
Ｓ６５５では、受信した着メロをメモリ９２に記憶させる。
続くＳ６６０では、先の６０５にてデータサーバ４から取得した待ち受けプログラムを着信時画面として登録するか否かを判断する。具体的には、待ち受けプログラムを着信時画面として登録するか否かを尋ねる旨のメッセージを液晶ディスプレイ７４に表示させ、待ち受けプログラムを着信時画面として登録するか否かを利用者からの入力によるキーパット８８への入力内容に基づいて判断する。待ち受けプログラムを着信時画面として登録しないと判断された場合には（Ｓ６６０：いいえ）、そのまま本処理を終了する。一方、待ち受けプログラムを着信時画面として登録すると判断された場合には（Ｓ６６０：はい）、Ｓ６６５に移行する。
【００６７】
Ｓ６６５では、予約通知時の告知方法を設定する。具体的には、予約通知時の告知方法を利用者に尋ねる旨のメッセージを液晶ディスプレイ７４に表示させ、利用者からの入力によるキーパット８８への入力内容に基づき、予約通知時の告知方法を設定するための設定情報をメモリ９２に記憶させる。
【００６８】
そして、本処理を終了する。
［データサーバ４のプログラム送信処理の説明］
以下に、データサーバ４のＣＰＵ１０２が実行するプログラム送信処理の処理手順を図１５（ａ）のフローチャートおよび図１５（ｂ）・図１５（ｃ）・図１５（ｄ）に基づいて説明する。この処理は、データサーバ４が起動している際に、携帯電話機３からプログラムを送信するよう要求された際に実行される。
【００６９】
まず、Ｓ７１０では、当該データサーバ４へ接続された携帯電話機３に関する情報を取得する。具体的には、携帯電話機３から送信された現在位置を示す情報および携帯電話機３の電話番号を示す情報を取得する。
【００７０】
続くＳ７２０では、大容量記憶装置１２０が記憶する位置特定プログラムを用いて、携帯電話機３から送信された携帯電話機３の現在位置情報に基づき、携帯電話機３が位置する地域を特定する。
【００７１】
続くＳ７３０では、先のＳ７２０で特定した地域に属するカラオケ店舗を、大容量記憶装置１２０が記憶する全国カラオケ店舗電話番号データから抽出して店舗リストを作成する。一例と挙げると、現在位置情報が示す地点を含む行政区画（例えば名古屋市中村区）を簡易地図（図１５（ｂ）および図（ｃ）参照）上に特定し、その特定した行政区画の四隅の緯度経度を特定し（図１５（ｄ）参照）、その特定した行政区画内に存在するカラオケ店舗を全国カラオケ店舗電話番号データから抽出して店舗リストを作成するといった具合である。
【００７２】
続くＳ７４０では、待ち受けプログラムを大容量記憶装置１２０から読み出して携帯電話機３へ送信する。
続くＳ７５０では、先のＳ７３０にて作成した店舗リストを携帯電話機３へ送信する。
【００７３】
続くＳ７６０では、着信時画面を大容量記憶装置１２０から読み出して携帯電話機３へ送信する。
続くＳ７７０では、着メロデータを大容量記憶装置１２０から読み出して携帯電話機３へ送信する。
【００７４】
そして、本処理を終了する。
［効果］
このように実施形態のカラオケシステムによれば、次のような効果を奏する。すなわち、従来のカラオケシステムにおいては、カラオケ装置に対して、複数の利用者が楽曲を予約することを想定して上述のような情報報知装置を相当数用意する必要があり、情報報知装置の導入のために当該カラオケシステムの運用者に負担が生じるという問題があった。また、導入した情報報知装置の維持管理にも手間がかかるという問題があった。これに対して本実施形態のカラオケ装置１によれば、上述の演奏予約処理および演奏開始告知処理により、利用者が楽曲を予約する際に例えば携帯電話機３の電話番号を合わせて登録してもらい、楽曲のカラオケ演奏の終了想定時には、次にカラオケ演奏される楽曲の予約者に対して、その予約者が予約した楽曲が演奏される旨をその予約者の携帯電話に送信するので、楽曲を予約した予約者に対してその楽曲が演奏される旨を報知する情報報知装置を導入しなくても、利用者が所有する携帯電話機３を利用することにより、予約者に対してその楽曲が演奏される旨を報知することができる。
【００７５】
また、実施形態のカラオケシステムによれば、カラオケ装置１側から携帯電話機３へ所定回数呼出信号を送信し、一方、携帯電話機３側では、カラオケ装置１からの呼出信号を受信した場合には着信時画面Ａなどを液晶ディスプレイ７４に表示するなどにより、利用者が予約した演奏楽曲がカラオケ演奏される時期が近いことを利用者に報知する。このことにより、カラオケ装置１と携帯電話機３との間で電話回線が接続状態とはならず、通話料金が課金されることがない。
【００７６】
また、実施形態のカラオケシステムによれば、カラオケ装置１からの呼出信号を受信した旨を着信時画面を表示することによって利用者に報知するので、携帯電話機３をマナーモードにすることが推奨される場所において、周りに迷惑にならずに、予約した演奏楽曲がカラオケ演奏される順番が近づいていることを利用者に知らせることができる。
【００７７】
また、実施形態のカラオケシステムによれば、カラオケ装置１からの呼出信号を受信した旨を着メロなどの音声によって報知することができるので、利用者が携帯電話機３で各種画像を楽しんでいる場合でも、予約した演奏楽曲がカラオケ演奏される順番が近づいていることを利用者に知らせることを着メロなどの音声で知らせることができる。
【００７８】
また、実施形態のカラオケシステムによれば、カラオケ装置１からの呼出回数によって利用者への報知形態を変化させて緊急度合を知らせるので、予約した演奏楽曲がカラオケ演奏される順番が近づいている緊急度合を利用者に知らせることができる。
【００７９】
また、実施形態のカラオケシステムによれば、プログラム・電話番号のダウンロード処理において、演奏楽曲を予約する際に必要なカラオケ装置の電話番号やプログラムを、データサーバ４から直接取得するので、電話回線を利用した場合に発生する通話料金がこの場合には発生しない。ただし、この場合には、カラオケ装置１が、演奏楽曲を予約する際に必要なカラオケ装置１の電話番号やプログラムを携帯電話機３に送信する手段を備える必要がある。
【００８０】
また、実施形態のカラオケシステムによれば、プログラム設定処理によって、演奏楽曲を予約する際に必要なカラオケ装置の電話番号リストやプログラムを、電話回線を介してデータサーバ４から取得するので、演奏楽曲を予約する際に必要なカラオケ装置１の電話番号やプログラムを携帯電話機３に送信する手段をカラオケ装置１が備えなくてもよい。また、このように利用者に電話番号リストを提示すれば、提示された電話番号リストから特定のカラオケボックスを利用者が選択することができ、利用者の利便性を向上させることができる。ただし、この場合には通話料金が発生する。
【００８１】
また、実施形態のカラオケシステムによれば、プログラム設定処理によって、利用者が存在する地域に限定した電話番号リストを外部のサーバから取得して利用者に提示するので、これから利用するカラオケボックスを現在位置からの移動時間が短いカラオケボックスから選択でき、利用者の利便性を向上させることができる。また、このように利用者が存在する地域に限定した電話番号リストを携帯電話機３に送信すれば、電話番号リストに含まれる電話番号の件数を少なくでき、電話番号リストを送受信する際に要する通話料金を、データサーバ４に登録されているカラオケボックスの電話番号すべてを携帯電話機３に対して送信する場合に比べて低額にすることができる。
【００８２】
［他の実施形態］
以上、本発明の一実施形態について説明したが、本発明は上記実施形態に限定されるものではなく、以下のような様々な態様にて実施することが可能である。
【００８３】
（１）上記実施形態のカラオケシステムでは、演奏開始告知処理において、予約した演奏楽曲がカラオケ演奏される順番が近づいている旨を知らせるための呼出を、第１コーラス終了時、第２コーラス終了時および後奏開始時の３回行っているが、これには限られず、上述のような呼出を、３回以外の回数にて実行するよう構成してもよい。一例を挙げると、例えば後奏開始時にのみ呼出を実行することや、各コーラスが終了するごとに呼出するといった具合である。
【図面の簡単な説明】
【００８４】
【図１】カラオケシステムの全体構成を示すブロック図である。
【図２】（ａ）は利用者が所有する携帯電話機の内部構成を示すブロック図であり、（ｂ）は携帯電話機のメモリの記憶内容を説明する説明図（１）であり、（ｃ）は携帯電話機のメモリの記憶内容を説明する説明図（２）であり、（ｄ）は携帯電話機のメモリの記憶内容を説明する説明図（３）である。
【図３】（ａ）はデータサーバの内部構成を示すブロック図であり、（ｂ）はデータサーバの大容量記憶装置の記憶内容を説明する説明図である。
【図４】（ａ）はカラオケシステムのリモコン端末を示す説明図であり、（ｂ）は本カラオケシステムにおける選曲方法を示す説明図である。
【図５】（ａ）は予約テーブルの構成を示す説明図（１）であり、（ｂ）は予約テーブルの構成を示す説明図（２）であり、（ｃ）は楽曲データの構成を示す説明図である。
【図６】携帯電話機による演奏予約処理を示す説明図であり、（ａ）は携帯電話機を示し、（ｂ）はカラオケ装置の操作部を示し、（ｃ）は演奏予約処理前の予約テーブルの内容を示す説明図であり、（ｄ）は演奏予約処理後の予約テーブルの内容を示す説明図である。
【図７】（ａ）は報知処理によって携帯電話機に表示される表示内容を示す説明図であり、（ｂ）は電話番号リストを示す説明図であり、（ｃ）は全国カラオケ店舗リストを示す説明図である。
【図８】来店前にプログラムをデータサーバから携帯電話機へダウンロードする処理を示す説明図である。
【図９】（ａ）は来店前に携帯電話機のＣＰＵおよびデータサーバが実行するブログラムおよび電話番号リストをダウンロードする処理を示すフローチャートであり、（ｂ）は携帯電話機のＣＰＵおよびカラオケ装置の制御部が実行する演奏予約処理を示すフローチャートである。
【図１０】携帯電話機のＣＰＵおよびカラオケ装置の制御部が実行する演奏開始告知処理を示すフローチャートである。
【図１１】演奏開始告知処理のサブルーチンである照会処理を示すフローチャートである。
【図１２】来店時にプログラムをカラオケ装置から携帯電話機へダウンロードする処理を示す説明図である。
【図１３】携帯電話機およびカラオケ装置を無線で接続した際のシーケンス図である。
【図１４】来店後に携帯電話機のＣＰＵおよびカラオケ装置の制御部が実行するブログラムおよび電話番号をダウンロードする処理を示すフローチャートである。
【図１５】（ａ）は来店前に携帯電話機の制御部および外部のサーバが実行するブログラムおよび地域限定版電話番号リストをダウンロードする処理を示すフローチャートであり、（ｂ）は当該処理を説明する説明図（１）であり、（ｃ）は当該処理を説明する説明図（２）であり、（ｄ）は当該処理を説明する説明図（３）である。
【符号の説明】
【００８５】
１…カラオケ装置、２…リモコン端末、３…携帯電話機、４…データサーバ、１２…制御部、１４…インタフェース部、１６…ハードディスク（ＨＤＤ）、１８…操作部、２０…赤外線通信部、２２…操作処理部、２４…音声制御部、２６…マイクロフォン、２８…スピーカ、３０…ＭＩＤＩ音源、３２…ビデオＲＡＭ、３４…映像再生部、３６…表示部、３８…映像制御部、４０…ＵＳＢ、５２…制御部、５４…赤外線通信部、５６…メモリ、５８…表示部、６０…操作部、６２…操作処理部、６４…ビデオＲＡＭ、６６…映像制御部、６８…無線ＬＡＮ通信部、７２…ＣＰＵ、７４…液晶ディスプレイ、７６…Ｂｌｕｅｔｏｏｔｈ通信部、７８…カメラ、８０…ＩｒＤＡ通信部、８２…ＧＰＳ受信機、８４…スピーカ、８６…マイク、８８…キーパット、９０…アンテナ、９２…メモリ、１００…ネットワーク、１０２…ＣＰＵ、１０４…ディスプレイ、１０６…モデム、１０８…ＩｒＤＡ通信部、１１０…キーボード、１１０…無線アクセスポイント、１１２…マウス、１１４…スピーカ、１１６…メモリ、１１８…ＬＡＮインタフェース部、１２０…大容量記憶装置、５００…携帯キャリア通信網とインターネットとを接続する接続事業者Ａ、５０１…公衆回線とインターネットとを接続するダイヤルアップ・インターネット接続事業者Ｂ、５０２…公衆回線と携帯キャリア通信網とを接続する携帯キャリア接続事業者Ｃ、５０３…ＡＤＳＬ回線とインターネットとを接続する接続事業者Ｄ、６００…モデム、６０１…ＡＤＳＬモデム
【図１】
2006106085.tif 000003
【図２】
2006106085.tif 000004
【図３】
2006106085.tif 000005
【図４】
2006106085.tif 000006
【図５】
2006106085.tif 000007
【図６】
2006106085.tif 000008
【図７】
2006106085.tif 000009
【図９】
2006106085.tif 000010
【図１０】
2006106085.tif 000011
【図１１】
2006106085.tif 000012
【図１３】
2006106085.tif 000013
【図１４】
2006106085.tif 000014
【図１５】
2006106085.tif 000015
【図８】
2006106085.tif 000016
【図１２】
2006106085.tif 000017